(57)【要約】【課題】表示可能な情報量を増大して使い勝手を向上可能な携帯電話機、電気光学装置の実装構造、および電子機器を提供すること。【解決手段】携帯電話機２００は、送話機側本体２１０と受話機側本体２２０を連結部２３０を介して折り畳み可能に連結されている。受話機側本体２２０は、折り畳んだときに送話機側本体２１０と対向する内面に第１の画像表示領域２２５を構成する第１の電気光学装置２５０を有し、送話機側本体２１０は、折り畳んだときに受話機側本体２２０と対向する内面に、複数の操作ボタン２１２が配置された入力領域２４０と、この入力領域２４０に隣接する位置に第２の画像表示領域２１５を構成する第２の電気光学装置２６０とを有している。【選択図】      図１
2004304674.tif 000002
【特許請求の範囲】
【請求項１】
送話部を備えた送話機側本体と、受話部を備えた受話機側本体と、前記送話機側本体と前記受話機側本体とを折り畳み可能に連結する連結部とを有する携帯電話機において、
前記受話機側本体は、折り畳んだときに前記送話機側本体と対向する内面に第１の画像表示領域を構成する第１の電気光学装置を有する一方、
前記送話機側本体は、折り畳んだときに前記受話機側本体と対向する内面に第２の画像表示領域を構成する第２の電気光学装置を有していることを特徴とする携帯電話機。
【請求項２】
請求項１において、前記送話機側本体は、複数の操作ボタンが配列された入力領域と、前記第２の画像表示領域とを備えていることを特徴とする携帯電話機。
【請求項３】
請求項１において、前記送話機側本体は、前記第２の電気光学装置として、少なくとも複数の操作ボタンを表示可能な入力機能付き電気光学装置を備えていることを特徴とする携帯電話機。
【請求項４】
請求項１ないし３のいずれかにおいて、前記送話機側本体および前記受話機機側本体のうちの少なくとも一方の側面部には、少なくとも受信があった旨を表示可能な報知部が配置されていることを特徴とする携帯電話機。
【請求項５】
請求項４において、前記報知部は、受信があった旨、およびその他の情報を表示可能な第３の電気光学装置によって構成された第３の画像表示領域であることを特徴とする携帯電話機。
【請求項６】
請求項１、２、３または５において、前記電気光学装置は、バックライト装置から出射された光によって透過モードでの表示および外光による反射モードでの表示が可能な半透過反射型電気光学装置であることを特徴とする携帯電話機。
【請求項７】
請求項６において、前記第１および第２の電気光学装置の各々に用いられている前記バックライト装置同士は、光源が共用されていることを特徴とする携帯電話機。
【請求項８】
請求項１ないし７のいずれかにおいて、前記操作ボタンに対する操作により他の電子機器を操作可能とするリモコン機能を備えていることを特徴とする携帯電話機。
【請求項９】
第１の本体と、第２の本体と、前記第１の本体と前記第２の本体とを折り畳み可能に連結する連結部とを有する電子機器に対して電気光学装置を実装する電気光学装置の実装構造において、
前記第１の本体における、折り畳んだときに前記第２の本体と対向する内面に、第１の画像表示領域を構成する第１の電気光学装置が設けられ、
前記第２の本体は、折り畳んだときに前記第１の本体と対向する内面に、複数の操作ボタンが配列された入力領域を備えるものであって、当該第２の本体における、折り畳んだときに前記第１の本体と対向する内面に、第２の画像表示領域を構成する第２の電気光学装置が設けられることを特徴とする電気光学装置の実装構造。
【請求項１０】
第１の本体と、第２の本体と、前記第１の本体と前記第２の本体とを折り畳み可能に連結する連結部とを有する電子機器であって、
前記第１の本体における、折り畳んだときに前記第２の本体と対向する内面に設けられ、第１の画像表示領域を構成する第１の電気光学装置と、
前記第２の本体における、折り畳んだときに前記第１の本体と対向する内面に設けられ、複数の操作ボタンが配列された入力領域と、
前記第２の本体における、折り畳んだときに前記第１の本体と対向する内面に設けられ、第２の画像表示領域を構成する第２の電気光学装置と、
を備えることを特徴とする電子機器。
【発明の詳細な説明】
【０００１】
【発明の属する技術分野】
本発明は、携帯電話機、電子機器への電気光学装置の実装構造、および電子機器に関するものである。さらに詳しくは、携帯電話機および電子機器の表示機能に関するものである。
【０００２】
【従来の技術】
携帯電話機としては、送話部を備えた送話機側本体と、受話部を備えた受話機側本体とを折り畳んだ状態と展開した状態に切り換え可能な携帯電話機が普及しつつある（例えば、特許文献１参照）。このような携帯電話機では、送話機側本体の側に、操作ボタンが配列された入力領域が構成されている一方、受話機側本体の側には、液晶装置などといった電気光学装置によって画像表示領域が構成されている。
【０００３】
【特許文献１】
特開２００１−１８６２２６（第３頁、図１）
【０００４】
【発明が解決しようとする課題】
しかしながら、携帯電話回線を利用したサービスが充実してくる中、受話機側本体の側に構成されている画像表示領域では、表示できる情報が少ないため、使い勝手が悪いという問題点がある。例えば、インターネットに接続中は、現在の日時を表示できないなどの不便さがある。
【０００５】
なお、受話機側本体の内面にメインの画像表示領域を配置する一方、受話機本体の外面にサブの画像表示領域を配置した携帯電話機もある。しかしながら、このようなサブの画像表示領域は、携帯電話機を折り畳んだ状態で受信があったことを報知するものであるため、携帯電話機を展開した状態では消灯状態となる。このため、サブの画像表示領域は、インターネットに接続中、現在の日時を確認するのに使用できないという問題点がある。
【０００６】
以上の問題点に鑑みて、本発明の課題は、表示可能な情報量を増大して使い勝手を向上可能な携帯電話機、電気光学装置の実装構造、および電子機器を提供することにある。
【０００７】
【課題を解決するための手段】
上記課題を解決するために、本発明では、送話部を備えた送話機側本体と、受話部を備えた受話機側本体と、前記送話機側本体と前記受話機側本体とを折り畳み可能に連結する連結部とを有する携帯電話機において、前記受話機側本体は、折り畳んだときに前記送話機側本体と対向する内面に第１の画像表示領域を構成する第１の電気光学装置を有する一方、前記送話機側本体は、折り畳んだときに前記受話機側本体と対向する内面に第２の画像表示領域を構成する第２の電気光学装置を有していることを特徴とする。
【０００８】
本発明では、送話機側本体、および受話機側本体の各々に、第１の画像表示領域を構成する第１の電気光学装置、および第２の画像表示領域を構成する第２の電気光学装置が搭載されているので、表示可能な情報量が大きい。このため、例えば、インターネットに接続中、その内容については第１の画像表示領域に表示する一方、第２の画像表示領域に現在の日時を表示することができるなど、使い勝手がよい。
【０００９】
本発明において、前記送話機側本体は、例えば、複数の操作ボタンが配列された入力領域と、前記第２の画像表示領域とを備えている。
【００１０】
発明において、前記送話機側本体は、例えば、前記第２の電気光学装置として、少なくとも複数の操作ボタンを表示可能な入力機能付き電気光学装置を備えている。このように構成した場合には、複数の操作ボタンが配列された入力領域に加えて、あるいは複数の操作ボタンが配列された入力領域に代えて、入力機能付き電気光学装置からなる第２の電気光学装置で表示された操作ボタンで操作することができる。従って、第２の電気光学装置で表示された操作ボタンについては、そのレイアウトなどをユーザーの好みに応じて任意に設定して楽しむことができる。
【００１１】
本発明において、前記送話機側本体および前記受話機機側本体のうちの少なくとも一方の側面部には、少なくとも受信があった旨を表示可能な報知部が構成されていることが好ましい。このように構成すると、携帯電話機をカバンの中に入れた状態でも、カバンを覗き込むだけで受信の有無を確認することができ、、携帯電話機をカバンから取り出す必要がない。
【００１２】
このような前記報知部としては、受信があった旨、およびその他の情報を表示可能な第３の電気光学装置によって構成された第３の画像表示領域であることが好ましい。このように構成すると、カバンを覗き込むだけで、受信の有無に加えて、電話をかけてきた相手の名前などが分かるので、使い勝手がよい。
【００１３】
本発明において、前記電気光学装置は、バックライト装置から出射された光によって透過モードでの表示および外光による反射モードでの表示が可能な半透過反射型電気光学装置である。
【００１４】
この場合、前記第１および第２の電気光学装置の各々に用いられているバックライト装置は、光源が共用されていることが好ましい。このように構成すると、光源を配置するのに要するスペースを圧縮できる。
【００１５】
本発明において、前記操作ボタンに対する操作により他の電子機器を操作可能とするリモコン機能を備えていることが好ましい。例えば、ＴＶリモコンの機能を付加すれば、使い勝手がさらに向上する。
【００１６】
本発明は、携帯電話機に限らず、その他の電子機器に適用できる。すなわち、本発明では、第１の本体と、第２の本体と、前記第１の本体と前記第２の本体とを折り畳み可能に連結する連結部とを有する電子機器に対して電気光学装置を実装する電気光学装置の実装構造において、前記第１の本体における、折り畳んだときに前記第２の本体と対向する内面に、第１の画像表示領域を構成する第１の電気光学装置が設けられ、前記第２の本体は、折り畳んだときに前記第１の本体と対向する内面に、複数の操作ボタンが配列された入力領域を備えるものであって、当該第２の本体における、折り畳んだときに前記第１の本体と対向する内面に、第２の画像表示領域を構成する第２の電気光学装置が設けられることを特徴とする。また、本発明では、第１の本体と、第２の本体と、前記第１の本体と前記第２の本体とを折り畳み可能に連結する連結部とを有する電子機器であって、前記第１の本体における、折り畳んだときに前記第２の本体と対向する内面に設けられ、第１の画像表示領域を構成する第１の電気光学装置と、前記第２の本体における、折り畳んだときに前記第１の本体と対向する内面に設けられ、複数の操作ボタンが配列された入力領域と、前記第２の本体における、折り畳んだときに前記第１の本体と対向する内面に設けられ、第２の画像表示領域を構成する第２の電気光学装置とを備えることを特徴とする。
【００１７】
【発明の実施の形態】
以下、本発明の実施の形態を説明する。なお、以下の説明では、複数の電気光学装置が搭載される電子機器の一例として携帯電話機に本発明を適用した例を説明するが、第１の本体と、第２の本体と、第１の本体と第２の本体とを折り畳み可能に連結する連結部とを有する電子機器であれば、携帯電話機以外の電子機器に適用してもよい。
【００１８】
［実施の形態１］
（全体構成）
図１（Ａ）、（Ｂ）はそれぞれ、本発明の実施の形態１に係る折畳み式携帯電話機において送話機側本体と受話機側本体とを展開した状態で、通常の使用状態を示す説明図、およびインターネーットに接続した状態の説明図である。
【００１９】
本形態の折畳み式携帯電話機２００（電子機器）は、送話部２１１を備えた送話機側本体２１０（第２の本体）と、受話部２２１を備えた受話機側本体２２０（第１の本体）と、送話機側本体２１０と受話機側本体２２０とを折り畳み可能に連結するヒンジ機構などを備えた連結部２３０とを有している。受話機側本体２２０には、可撓性のアンテナ体２９０が伸縮可能に収納されている。
【００２０】
本形態の折畳み式携帯電話機２００において、受話機側本体２２０は、折り畳んだときに送話機側本体２１０と対向する内面に第１の画像表示領域２２５を構成する第１の電気光学装置２５０を有している。
【００２１】
また、本形態の折畳み式携帯電話機２００において、送話機側本体２１０は、折り畳んだときに受話機側本体２２０と対向する内面に、複数の操作ボタン２１２が配置された入力領域２４０と、この入力領域２４０に隣接する位置に第２の画像表示領域２１５を構成する小さな第２の電気光学装置２６０とを有している。
【００２２】
このように構成した折畳み式携帯電話機２００では、送話機側本体２１０、および受話機側本体２２０の各々に、第１の画像表示領域２２５を構成する第１の電気光学装置２５０、および第２の画像表示領域２１５を構成する第２の電気光学装置２６０が搭載されているので、表示可能な情報量が大きい。このため、待機時には、図１（Ａ）に示すように、第１の画像表示領域２２５において、オリジナルメニューとして、壁紙２２６や現在時刻２２７を表示でき、不在着信が有った場合には、第２の画像表示領域２１５の方に「不在着信有」と表示できる。
【００２３】
これに対して、折畳み式携帯電話機２００を例えば、インターネットに接続すると、図１（Ｂ）に示すように、各サイトから送信されてきた情報２２８が第１の画像表示領域２２５に表示される一方、第２の画像表示領域２１５には、現在の日時２１６が表示される。従って、インターネットに接続したまま、現在の日時２１６を確認できるので、使い勝手がよい。
【００２４】
また、本形態の折畳み式携帯電話機２００において、操作ボタン２１２でＴＶチャンネルを選択し、その選択結果を赤外線の信号としてＴＶに向けて送信するＴＶリモコンの機能を付加すれば、使い勝手がさらに向上する。さらに、本形態の折畳み式携帯電話機２００は、表示可能な情報量が多いので、例えば、インターネットを介して入手したＴＶ番組を操作ボタン２１２で選択し、その選択結果を赤外線の信号としてＴＶに向けて送信するＴＶリモコンの機能を付加すれば、使い勝手がさらに向上する。
【００２５】
（電気光学装置の構成）
本形態の折畳み式携帯電話機２００で用いられる第１および第２の電気光学装置２５０、２６０としては、図２および図３に示す半透過反射型の液晶装置１Ａを用いることができる。
【００２６】
図２および図３はそれぞれ、本形態の折畳み式携帯電話機において電気光学装置として用いた液晶装置の分解斜視図、および断面図である。
【００２７】
図２および図３において、液晶装置１Ａでは、電気光学パネルとしての矩形状の液晶パネル２の上面に第１の偏光部材６ａが重ねて配置され、その反対側には第２の偏光部材６ｂ、および反射板７が重ねて配置されている。ここで、反射板７は、液晶パネル２の各画素に対向する部分の各々に小さな光透過穴（図示せず）を有する部分反射板であり、その下面側にバックライト装置５０が配置されている。バックライト装置５０は、導光板５１および光源５２などを備えている。
【００２８】
液晶パネル２は、透明な第１の表示用基板２２ａ、およびこの第１の表示用基板２２ａに対向配置された第２の表示用基板２２ｂとを備えており、本形態では、第１の表示用基板２２ａ、および第２の表示用基板２２ｂのいずれについても、ガラス基板が用いられている。
【００２９】
第１の表示用基板２２ａ、および第２の表示用基板２２ｂは、所定の間隙を介してシール材２３によって貼り合わされ、第１の表示用基板２２ａと第２の表示用基板２２ｂとの基板間でシール材２３によって区画された領域内には、電気光学物質としての液晶４４の層が保持されている。また、第１の表示用基板２２ａと第２の表示用基板２２ｂとの間には、多数の液晶パネル用のスペーサ４３が散布されており、このスペーサ４３およびシール材２３に配合されたギャップ材によって、第１の表示用基板２２ａと第２の表示用基板２２ｂとの間隙（液晶の層厚）が、例えば５μｍに規定されている。シール材２３には、その途切れ部分によって液晶注入口２３ａが形成されており、この液晶注入口２３ａは、ここから基板間に液晶４４を注入、充填した後、封止材２３ｂにより封止されている。
【００３０】
ここに示す液晶パネル２は、パッシブマトリクス型であり、第１の表示用基板２２ａ、および第２の表示用基板２２ｂにおいて対向する各々の第１面１２３ａ、１２３ｂには、例えば１０００ｎｍ程度のＩＴＯ（Ｉｎｄｉｕｍ  Ｔｉｎ  Ｏｘｉｄｅ）膜などの透明導電膜からなる電極２６ａ、２６ｂが互いに交差する方向にストライプ状に形成されている。
【００３１】
なお、図示を省略するが、第１の表示用基板２２ａ、および第２の表示用基板２２ｂの各第１面１２３ａ、１２３ｂには、上記の電極２６ａ、２６ｂの表面に、厚さが約８００ｎｍ程度のポリイミド樹脂からなる配向膜（図示せず）が形成されている。また、第１の表示用基板２２ａ、および第２の表示用基板２２ｂの各第１面１２３ａ、１２３ｂには、前記電極２６ａ、２６ｂや配向膜の他、遮光膜、カラーフィルタ層、平坦化膜などが形成されている。
【００３２】
第１の表示用基板２２ａは、第２の表示用基板２２ｂの端部より突出した張出し部２５を有しており、この張出し部２５の第１面１２３ａ上には駆動用のＩＣチップ３６が実装されている。
【００３３】
ここで、張出し部２５の第１面１２３ａ上には、ＩＣチップ３６の実装端子を第１電極２６ａの各々に繋がる多数の配線と、ＩＣチップ３６の実装端子から第２の表示用基板２２ａの端部と対向する位置まで延びた基板間導通用の多数の配線とが形成されており、基板間導通用の配線の端部は、シール材２３に配合された基板間導通材を介して、第２の表示用基板２２ｂの第１面１２３ｂに形成されている多数の電極２６ｂと各々、導通している。また、張出し部２５の第１面１２３ａ上は、ＩＣチップ３６の実装端子から張出し部２５の第１面１２３ａの端部に向けて、外部回路からの信号供給用のフレキシブル基板が実装される接続端子３３も形成されている。
【００３４】
このように構成した液晶パネル２において、第１の表示用基板２２ａ、および第２の表示用基板２２ｂに形成したストライプ状の電極２６ａ、２６ｂの各々の交差部分によって各画素が形成され、これらの画素がマトリクス状に配列している領域が画像表示領域である。この画像表示領域は、第１の表示用基板２２ａ、および第２の表示用基板２２ｂのいずれにおいても、周辺部を除く中央領域に位置する。
【００３５】
ここで、液晶装置１Ａでは、液晶パネル２に対してバックライト装置５０の側には、第２の偏光部材６ｂおよび反射板７が重ねて配置されており、その反対側から液晶パネル２に入射した外光は、液晶４４の層を通って反射板７に向い、反射板７で反射した光は、再び液晶４４の層を通って出射される。この間、光は液晶４４によって変調され、所定の画像を反射モードで表示することになる。また、バックライト装置５０から出射された光は、反射板７の光透過穴を通って液晶パネル２に入射し、液晶４４の層を通って出射される。この間、光は液晶４４によって変調され、所定の画像を透過モードで表示することになる。
【００３６】
［実施の形態２］
（全体構成）
図４は、本発明の実施の形態２に係る折畳み式携帯電話機において送話機側本体と受話機側本体とを展開した状態でインターネーットに接続した様子を示す説明図である。
【００３７】
図４において、本形態の折畳み式携帯電話機２００は、送話部２１１を備えた送話機側本体２１０と、受話部２２１を備えた受話機側本体２２０と、送話機側本体２１０と受話機側本体２２０とを折り畳み可能に連結するヒンジ機構などを備えた連結部２３０とを有している。受話機側本体２２０には、可撓性のアンテナ体２９０が伸縮可能に収納されている。
【００３８】
本形態の折畳み式携帯電話機２００において、受話機側本体２２０は、折り畳んだときに送話機側本体２１０と対向する内面に第１の画像表示領域２２５を構成する第１の電気光学装置２５０を有している。
【００３９】
また、本形態の折畳み式携帯電話機２００において、送話機側本体２１０は、折り畳んだときに受話機側本体２２０と対向する内面に、複数の操作ボタン２１７などを表示可能な第２の画像表示領域２１８を構成する第２の電気光学装置２７０とを有している。
【００４０】
ここで、第２の電気光学装置２７０は、後述するタッチパネル付き液晶装置（入力機能付き液晶装置）であり、第２の電気光学装置２７０に表示されている操作ボタン２１７を押圧することで入力が可能である。このため、送話機側本体２１０の内面には、操作ボタンが配列されていない。
【００４１】
なお、送話機側本体２１０には、通常の操作ボタンを備えた入力領域、およびタッチパネル付き液晶装置からなる第２の電気光学装置２７０の双方を設けてもよい。
【００４２】
このように構成した折畳み式携帯電話機２００では、送話機側本体２１０、および受話機側本体２２０の各々に、第１の画像表示領域２１５を構成する第１の電気光学装置２５０、および第２の画像表示領域２１８を構成する第２の電気光学装置２７０が搭載されているので、表示可能な情報量が大きい。このため、インターネットに接続すると、各サイトから送信されてきた情報２２８が第１の画像表示領域２２５に表示される一方、第２の画像表示領域２１８には、現在の日時２１６が表示される。従って、インターネットに接続したまま、現在の日時を第２の電気光学装置で確認できるので、使い勝手がよい。
【００４３】
また、複数の操作ボタンが配列された入力領域に代えて、タッチパネル付き電気光学装置からなる第２の電気光学装置２７０で表示された操作ボタン２１７で操作することができる。従って、第２の電気光学装置２７０で表示された操作ボタンについては、そのレイアウトなどをユーザーの好みに応じて任意に設定して楽しむことができる。
【００４４】
また、本形態の折畳み式携帯電話機２００において、第２の画像表示領域２１８に表示された操作ボタン２１７の画像を押すことでＴＶチャンネルを選択し、その選択結果を赤外線の信号としてＴＶに向けて送信するＴＶリモコンの機能を付加すれば、使い勝手がさらに向上する。さらに、本形態の折畳み式携帯電話機２００は、表示可能な情報量が多いので、例えば、インターネットを介して入手したＴＶ番組を操作ボタン２１７の画像を押すことで選択し、その選択結果を赤外線の信号としてＴＶに向けて送信するＴＶリモコンの機能を付加すれば、使い勝手がさらに向上する。
【００４５】
（タッチパネル付き液晶装置の構成）
本形態の折畳み式携帯電話機２００において、第１の電気光学装置２５０としては、図２および図３を参照して説明した液晶装置を用いることができる。これに対して、本形態では、第２の電気光学装置２７０として、図５および図６を参照して以下に説明するタッチパネル付き液晶装置（入力機能付き液晶装置）を用いる。
【００４６】
図５および図６はそれぞれ、本形態の折畳み式携帯電話機において電気光学装置として用いたタッチパネル付き液晶装置の分解斜視図、および断面図である。
【００４７】
図５および図６において、タッチパネル付き液晶装置１Ｂは、電気光学パネルとしての矩形状の液晶パネル２と、矩形状のタッチパネル４とが平面的に重ねて配置された構造を有している。
【００４８】
液晶パネル２としては、第１の表示用基板２２ａの上面に凹部２８ａが形成され、そこに第１の偏光部材６ａが配置されている以外、基本的な構造が、図２および図３を参照して説明したものと同様なものを使用できるので、共通する部分は、同一の符号を付して図５および図６に図示し、それらの説明を省略する。
【００４９】
タッチパネル４は、透明な第１の入力用基板８ａと、この第１の入力用基板８ａに対して液晶パネル２の側に重ねて配置された透明な第２の入力用基板８ｂとを有しており、第２の入力用基板８ｂと第１の入力用基板８ａとは、これら基板の周縁部に沿って形成されたシール材９によって貼り合わされている。また、タッチパネル４の第１の入力用基板８ａの表面側には入力用シート３７が重ねて配置されている。タッチパネル４は、液晶パネル２の一端部から突出した張出し部４５を有している。
【００５０】
第１の入力用基板８ａにおいて、第２の入力用基板８ｂと対向する面には、液晶パネル２の画像表示領域と平面的に重なる領域、および入力用シート３７と平面的に重なる領域を覆うように平板状の面電極１２ａが形成され、この面電極１２ａのＹ方向両端には、一対の低抵抗電極１３が形成されている。
【００５１】
これに対して、第２の入力用基板８ｂにおいて、第１の入力用基板８ａと対向する面には、液晶パネル２の画像表示領域と平面的に重なる領域、および入力用シート３７と平面的に重なる領域を覆うように平板状の面電極１２ｂが形成され、この面電極１２ｂのＸ方向両端には、一対の低抵抗電極１４が形成されている。
【００５２】
ここで、第１の入力用基板８ａ上に形成された低抵抗電極１３は、導通材１７を介して第２の入力用基板８ｂに形成されている補助電極１８に電気的に接続され、さらにその補助電極１８を介して端子部１６に電気的に接続されている。
【００５３】
第１の入力用基板８ａと第２の入力用基板８ｂとの間において、第２の入力用基板８ｂには、直径０．３ｍｍ程度の円柱状の第１のスペーサ４１が形成されているとともに、第２のスペーサ４２がドット状に形成されている。第１のスペーサ４１、および第２のスペーサ４２は、シール材９を形成する際に同時形成されたものである。第２のスペーサ４２は、入力用基板８ａ、８ｂ間に介在することにより、入力領域以外の領域が入力具などによって押圧されても、第１の入力用基板８ａ、および第２の入力用基板８ｂの各々に形成されている面電極１２ａ、１２ｂ同士が接触してしまうことを防止するためのものである。第１のスペーサ４１は、第１の入力用基板８ａと第２の入力用基板８ｂとの間に例えば０．５ｍｍの間隙を確保しておくためのものである。
【００５４】
第１の入力用基板８ａと、第２の入力用基板８ｂとの間には屈折率調整用の液体２１が封入されている。屈折率調整用の液体２１が封入されている理由は、以下のとおりである。第１の入力用基板８ａ、および第２の入力用基板８ｂの内側表面に形成されている面電極１２ａ、１２ｂを構成するＩＴＯの屈折率ｎ１は、通常１．７〜１．９の範囲にあるのに対して、空気の屈折率ｎ０は１．０である。このため、第１の入力用基板８ａと第２の入力用基板８ｂとの間に空気層が存在していると、面電極１２ａ、１２ｂと空気層との屈折率の差が大きいことから、両者の界面で光が大きく屈折し、その結果、液晶パネル２によって表示された画像を第１の入力用基板８ａの外側から見たときに、上記界面において光の反射が生じ、表示像が暗くなってしまう。これに対して、本形態のように、第１の入力用基板８ａと第２の入力用基板８ｂとの間に、屈折率ｎが１．０〜１．９の屈折率調整用の液体２１を封入しておけば、上記界面での反射を低減することができるので、液晶パネル２によって表示された画像を第１の入力用基板８ａの外側から見たときに、明るい画像を表示できることになる。
【００５５】
第１の入力用基板８ａとしては、可撓性基板、例えばポリカーボネート（ＰＣ）、ポリアクリレート（ＰＡｒ）、ポリエーテルサルフォン（ＰＥＳ）などからなるプラスチックフィルムが用いられる。これに対して、第２の入力用基板８ｂとしては、ガラス基板、あるいはプラスチック製の硬質基板が用いられている。
【００５６】
［その他の実施の形態］
図７に実施の形態１、２に係る折畳み式携帯電話機２００において、送話機側本体２１０と受話機側本体２２０とを折り畳んだ状態を側面図を示してあるが、送話機側本体２１０の側面に対して、少なくとも受信があった旨を表示可能な報知部２１９を構成してもよく、このような報知部２１９としては、図２および図３を参照して説明した液晶装置１Ａからなる第３の電気光学装置２８０によって、第３の画像表示領域を構成してもよい。
【００５７】
このように構成すると、折畳み式携帯電話機２００をカバンの中に入れた状態でも、カバンを覗き込むだけで受信の有無、さらには、電話をかけてきた相手の名前などが分かるので、使い勝手がよい。
【００５８】
なお、報知部２１９（第３の電気光学装置２８０／第３の画像表示領域）については、受話機側本体２２０の側面に形成してもよい。
【００５９】
また、上記形態１、２では、電気光学装置を構成する液晶装置として、バックライト装置５０から出射された光によって透過モードでの表示、および外光による反射モードでの表示が可能な半透過反射型の液晶装置を用いたので、バックライト装置５０の光源５２については共通の光源として、第１および第２の電気光学装置２５０、２６０、２７０の間で共用することが好ましい。この場合、送話機側本体２１０と受話機側本体２２０とを展開した状態で双方の導光板５１が連結部で光学的に結合するように構成すればよい。
【００６０】
さらに、上記形態１、２においては、液晶装置としてはパッシブマトリクス型の液晶パネルを用いた例で説明したが、薄膜トランジスタや薄膜ダイオード素子を画素スイッチング素子として用いたアクティブマトリクス型の液晶パネルを用いてもよい。
【００６１】
上述した実施形態では、電気光学装置として、液晶装置に適用した場合について説明したが、本発明はこれに限定されず、エレクトロルミネッセンス装置、特に、有機エレクトロルミネッセンス装置、無機エレクトロルミネッセンス装置等や、プラズマディスプレイ装置、ＦＥＤ（フィールドエミッションディスプレイ）装置、ＬＥＤ（発光ダイオード）表示装置、電気泳動表示装置、薄型のブラウン管、液晶シャッター等を用いた小型テレビ、デジタルマイクロミラーデバイス（ＤＭＤ）を用いた装置などの各種の電気光学装置に適用できる。
【図面の簡単な説明】
【図１】（Ａ）、（Ｂ）はそれぞれ、本発明の実施の形態１に係る折畳み式携帯電話機において送話機側本体と受話機側本体とを展開した状態で、通常の使用状態を示す説明図、およびインターネーットに接続した状態の説明図である。
【図２】図１に示す折畳み式携帯電話機において電気光学装置として用いた液晶装置の分解斜視図である。
【図３】図１に示す折畳み式携帯電話機において電気光学装置として用いた液晶装置の断面図である。
【図４】本発明の実施の形態２に係る折畳み式携帯電話機において送話機側本体と受話機側本体とを展開した状態でインターネーットに接続した様子を示す説明図である。
【図５】図４に示す折畳み式携帯電話機において入力機能付き電気光学装置として用いたタッチパネル付き液晶装置の分解斜視図である。
【図６】図４に示す折畳み式携帯電話機において入力機能付き電気光学装置として用いたタッチパネル付き液晶装置の断面図である。
【図７】本発明のその他の実施の形態に係る折畳み式携帯電話機の説明図である。
【符号の説明】
１Ａ  液晶装置、１Ｂ  タッチパネル付き液晶装置（入力機能付き液晶装置）、２  液晶パネル、４  タッチパネル、５０  バックライト装置、５１  導光板、５２  光源、２００  折畳み式携帯電話機（電子機器）、２１０  送話機側本体（第２の本体）、２１１  送話部、２１２  操作ボタン、２１５、２１８  第２の画像表示領域、２２０  受話機側本体（第１の本体）、２２１  受話部、２２５  第１の画像表示領域、２３０  連結部、２４０  入力領域、２５０  第１の電気光学装置、２６０、２７０  第２の電気光学装置、２９０  アンテナ体
【図１】
2004304674.tif 000003
【図２】
2004304674.tif 000004
【図３】
2004304674.tif 000005
【図４】
2004304674.tif 000006
【図５】
2004304674.tif 000007
【図６】
2004304674.tif 000008
【図７】
2004304674.tif 000009